(57)【特許請求の範囲】
【請求項１】
所定濃度の電解質を含有する被電解水を電解する電解槽と、前記電解槽に供給される原水に高濃度塩水を供給して所定濃度の電解質を含有する被電解水を調製する被電解水調製機構と、電解運転途中の前記電解槽内の電解電流値を検出する電流値検出手段と、前記電流値検出手段にて検出される電解電流値に基づいて前記原水に対する前記高濃度塩水の供給流量を制御して電解電流値を設定された電解電流値にフィードバック制御する制御装置を備える電解水生成装置であり、前記制御装置は、電解電流値が許容される微少な変動範囲にある場合には、前記電流値検出手段にて検出される電流値に基づいて前記高濃度塩水の原水に対する供給流量を制御し、前記電流値検出手段にて検出される電解電流値が許容される微少な変動範囲を越える過電流値である場合には、前記高濃度塩水の前記原水に対する供給を一旦停止し、その後、前記高濃度塩水の供給流量を、調整可能な供給流量の範囲内の最低の供給流量から漸次増大させる制御を行うことを特徴とする電解水生成装置。
【請求項２】
請求項１に記載の電解水生成装置において、前記被電解水調整機構の塩水タンクから高濃度塩水を原水に供給する供給手段として、ダイアフラムピストン式の流量可変ポンプを採用して、前記制御装置は、前記電流値検出手段にて検出される電解電流値が許容される微少な変動範囲を越える過電流値である場合には、前記流量可変ポンプの単位時間当たりのストローク数を最低のストローク数から漸次増大させる制御を行うことを特徴とする電解水生成装置。
【発明の詳細な説明】
【技術分野】
【０００１】
本発明は、電解水生成装置に関する。
【背景技術】
【０００２】
電解水生成装置の一形式として、所定濃度の電解質を含有する被電解水を電解する電解槽と、前記電解槽に供給される原水に高濃度塩水を供給して所定濃度の電解質を含有する被電解水を調製する被電解水調製機構と、電解運転途中の前記電解槽内の電解電流値を検出する電流値検出手段と、前記電流値検出手段にて検出される電解電流値に基づいて前記原水に対する前記高濃度塩水の供給流量を制御して、電解電流値を設定された電解電流値にフィードバック制御する制御装置を備える電解水生成装置がある。当該形式の電解水生成装置においては、電解運転中の電解槽内の電解電流値を常に設定された電解電流値に制御することによって、設定されている特性の電解生成水を生成することを意図しているものである（特許文献１を参照）。
【特許文献１】特開平１１−１１４５６５号公報
【発明の開示】
【発明が解決しようとする課題】
【０００３】
このように、当該形式の電解水生成装置においては、電解運転中の電解槽内の電解電流値を常に設定された電解電流値になるように、原水に対する高濃度塩水の供給流量を制御している。このため、電解運転を一旦停止した後に電解運転を再開する場合には、制御装置に前回の電解運転での原水に対する高濃度塩水の供給流量を記憶させておき、制御装置は、電解運転の再開の始めから記憶している供給流量になるように、原水に対する高濃度塩水の供給流量を制御する手段を採っている。
【０００４】
このため、前回の電解運転終了後に、被電解水調製機構の塩水タンク内で新たに塩類を添加して高濃度塩水を調製するような場合、前回の電解運転における高濃度塩水の供給流量に基づき、原水に対する高濃度塩水の供給流量を制御すると、塩濃度が相違する場合には、高濃度塩水の供給流量が過剰になることがある。原水に対する高濃度塩水の供給流量が過剰になると、電解電流値が設定された電解電流値より上昇する現象が発生する。また、電解運転の途中に、塩水タンク内で新たに塩類を添加して高濃度塩水を調製して塩水の塩濃度が高くなった場合にも、電解電流値は設定された電解電流値より急激に上昇する現象が発生する。
【０００５】
これらの場合、電解槽の各電極に電流を印加する電源の電源容量が大きい場合には、さほど問題はないが、電源容量に余裕がない場合には、電源容量を超える過電流が流れることがある。過電流の発生は、電源に対して大きな負荷を与えることになることから、過電流の発生は避けなければならない。また、過電流が発生すると、電源は自ら電圧降下させて、電源自身を保護する。この場合、通常のフィードバック制御では電圧降下分を検知していないないことから、制御装置は電圧降下によって減った電流を補うべく、原水に対する高濃度塩水の供給流量を増大させる。このため、電解運転を、設定された電解電流値の下での正常な電解運転に復帰させるために長時間を要することになる。従って、本発明の目的は、かかる問題に対処することにある。
【課題を解決するための手段】
【０００６】
本発明は、電解水生成装置に関する。本発明が適用対象とする電解水生成装置は、所定濃度の電解質を含有する被電解水を電解する電解槽と、前記電解槽に供給される原水に高濃度塩水を供給して所定濃度の電解質を含有する被電解水を調製する被電解水調製機構と、電解運転途中の前記電解槽内の電解電流値を検出する電流値検出手段と、前記電流値検出手段にて検出される電解電流値に基づいて前記原水に対する前記高濃度塩水の供給流量を制御して電解電流値を設定された電解電流値にフィードバック制御する制御装置を備える形式の電解水生成装置である。
【０００７】
しかして、本発明に係る電解水生成装置においては、前記制御装置は、電解電流値が許容される微少な変動範囲にある場合には、前記電流値検出手段にて検出される電流値に基づいて前記高濃度塩水の前記原水に対する供給流量を制御し、前記電流値検出手段にて検出される電解電流値が許容される微少な変動範囲を越える過電流値である場合には、前記高濃度塩水の前記原水に対する供給を一旦停止し、その後、高濃度塩水の供給流量を、調整可能な供給流量の範囲内の最低の供給流量から漸次増大させる制御を行うことを特徴とするものである。
【０００８】
本発明に係る電解水生成装置においては、前記被電解水調整機構の塩水タンクから前記高濃度塩水を前記原水に供給する供給手段として、ダイアフラムピストン式の流量可変ポンプを採用して、前記制御装置が、前記電流値検出手段にて検出される電解電流値が許容される微少な変動範囲を越える過電流値である場合には、前記流量可変ポンプの単位当たりのストローク数を最低のストローク数から漸次増大させる制御を行うようにすることができる。
【発明の効果】
【０００９】
本発明に係る電解水生成装置においては、電解運転途中に電解電流に過電流が発生した場合には、制御装置は、正常のフィードバック制御を中断して、原水に対する高濃度塩水の供給を一旦停止し、電解電流値が過電流値であることから、高濃度塩水の供給流量を、調整可能な供給流量の範囲内の最低の供給流量から漸次増大させる制御を行うようにしている。このため、電解運転途中に過電流が発生しても過電流の発生が一旦阻止され、その後の高濃度塩水の供給流量の制御によって電解電流値は漸次上昇し、従来の供給流量の制御のように電解電流値が急激に上昇することがなくて、過電流の発生を瞬時に解消することができる。
【００１０】
このため、過電流に起因する電源に対する大きな負荷は瞬時に解消される。また、制御装置は、電圧降下によって減った電流を補うべく、原水に対する高濃度塩水の供給流量を制御することもなく、このため、電解運転を、設定された電解電流値の下での正常な電解運転に、長時間を要することなく、円滑に復帰させることができる。
【発明を実施するための最良の形態】
【００１１】
本発明は、電解水生成装置に関する。本発明に係る電解水生成装置は、所定濃度の電解質を含有する被電解水を電解する電解槽と、電解槽に供給される原水に高濃度塩水を供給して所定濃度の電解質を含有する被電解水を調製する被電解水調製機構と、電解運転途中の電解槽内の電解電流値を検出する電流値検出手段と、電流値検出手段にて検出される電解電流値に基づいて原水に対する高濃度塩水の供給流量を制御して電解電流値を設定された電解電流値にフィードバック制御する制御装置を備える電解水生成装置である。
【００１２】
本発明は、電解運転途中の電解電流に過電流が発生した場合には、原水に対する高濃度塩水の供給流量の制御を適正に行って、過電流の発生を瞬時に停止させるとともに、設定された電解電流の下での正常な電解運転に速やかに復帰させるものである。図１には、本発明の一実施形態に係る電解水生成装置を概略的に示している。
【００１３】
当該電解水生成装置は、有隔膜式の電解槽１０、被電解水調製機構２０、および、制御装置３０を備える構成のものである。有隔膜式の電解槽１０はそれ自体公知のもので、槽本体１１は隔膜１２にて一対の区画室に区画されており、各区画室には、電極１３ａ，１３ｂが配設されていて、各区画室は電解室Ｒ1，Ｒ2に形成されている。当該電解槽１０の各電解室Ｒ1，Ｒ2の上流側部位には、被電解水を供給する被電解水供給管路１４の分岐管路部がそれぞれ接続され、かつ、各電解室Ｒ1，Ｒ2の下流側部位には、電解生成水を導出する上流側導出管路１５ａ1，１５ｂ1がそれぞれ接続されている。各上流側導出管路１５ａ1，１５ｂ1は、流路切換弁１６を介して、各下流側導出管路１５ａ2，１５ｂ2に接続されている。
【００１４】
当該電解水生成装置における電解運転では、電解運転途中、各電解室Ｒ1，Ｒ2の各電極１３ａ，１３ｂの極性が定期的に反転されて電解運転が継続されることから、各電極１３ａ，１３ｂの極性の反転に同期して流路切換弁１６を切換動作すべく制御され、各上流側導出管路１５ａ1，１５ｂ1の各下流側導出管路１５ａ2，１５ｂ2に対する接続関係を切換えるようになっている。
【００１５】
かかる構成により、各下流側導出管路１５ａ2，１５ｂ2の一方１５ａ2は、例えば電解生成酸性水専用の導出管路となっており、各下流側導出管路１５ａ2，１５ｂ2の他方１５ｂ2は、例えば電解生成アルカリ性水専用の導出管路となっている。各電極１３ａ，１３ｂの極性の定期的な反転、および、当該極性の反転に同期する流路切換弁１６の切換動作は、制御装置３０によって制御される。
【００１６】
当該電解水生成装置の電解運転は、制御装置３０によって総合的に制御され、電解運転では、電源３１から各電極１３ａ，１３ｂに対して所定の電圧が印加されて、設定された所定の電解電流の下で、電解槽１０の各電解室Ｒ1，Ｒ2内に供給される被電解水を、電解槽１０の各電解室Ｒ1，Ｒ2内で電解する。
【００１７】
電解運転中、一方の電解室Ｒ1で生成される電解生成酸性水は、電解生成酸性水専用の下流側導出管路１５ａ2から導出され、また、各電極１３ａ，１３ｂの極性が反転された後に電解室Ｒ1で生成される電解生成アルカリ性水は、電解生成アルカリ性水専用の導出管路１５ｂ2から導出される。また、当該電解運転中、他方の電解室Ｒ2で生成される電解生成アルカリ性水は、電解生成アルカリ性水専用の下流側導出管路１５ｂ2から導出され、また、各電極１３ａ，１３ｂの極性が反転された後に電解室Ｒ2で生成される電解生成酸性水は、電解生成酸性水専用の導出管路１５ａ2から導出される。
【００１８】
この間、電解槽１０内で発生する電解電流値は、電源３１と電極１３ｂを接続する配線の途中に介装された分流器３２に接続する電流計３３にて、配線を流れる電流値として計測される。電流計３３で計測される電流値は、電解槽１０内で発生する電解電流値に相当する。電流計３３にて検出された電解電流値は、電解電流値の検出信号として制御装置３０に出力される。
【００１９】
当該電解水生成装置を構成する被電解水調製機構２０は、高濃度塩水を収容する塩水タンク２１と、塩水タンク２１内の高濃度塩水を供給する供給管路２２と、供給管路２２の途中に介装された吐出流量可変型の定量ポンプ２３からなるもので、供給管路２２は、被電解水供給管路１４に接続している原水供給管路１７に接続されている。塩水タンク２１には、水と大量の食塩が収容されていて、塩水タンク２１内では、飽和食塩水等の所定濃度の高濃度塩水が調製されている。塩水タンク２１内に収容されている高濃度塩水は、供給ポンプ２３を駆動することにより、制御装置３０にて制御された流量の高濃度塩水が原水供給管路１７内に供給される。本実施形態では、供給ポンプ２３として、ダイアフラムピストン式の流量可変ポンプを採用している。
【００２０】
当該供給ポンプ２３は、ダイアフラムピストンの一往復の動作によって吸入チェック弁および吐出チェック弁を交互に開閉して所定量の高濃度塩水を吐出し、原水供給管路１７内を流れる原水中に供給すべく機能する。当該供給ポンプ２３は、略０．５〜１．０ｍｍのピストンストロークで略０．０６ｃｃの高濃度塩水を吐出するもので、単位時間当たりのストローク数を０〜７２０回／分（ｓｐｍ）の範囲で調整することができ、これにより、高濃度塩水の吐出流量を０〜４０ｃｃ／分の範囲で調整することができる。制御装置３０は、当該供給ポンプ２３の単位時間当たりのストローク数を制御することにより、原水に対する高濃度塩水の供給流量を調整する。
【００２１】
なお、塩水タンク２１内には、１回の電解運転にて消費される量の高濃度塩水が収容されている。このため、次回の電解運転に際しては、当該塩水タンク２１を、新たに調製した高濃度塩水を収容してい塩水タンクに交換される。
【００２２】
本実施形態で使用する原水は、水道水を軟水化処理するとともに濾過処理してなるもので、原水供給管路１７の途中には、軟水器１８ａおよびフィルター１８ｂが介装されていて、軟水器１８ａおよびフィルター１８ｂで軟水化処理および濾過処理された水道水が原水として、原水供給管路１７を通して被電解水供給管路１４に供給される。原水供給管路１７内に供給された一定流量の高濃度塩水は、原水供給管路１７内を流動する原水と混合して一定濃度の希釈塩水となる。当該希釈塩水は設定された一定濃度の塩水であって、当該電解水生成装置で電解の対象とする被電解水である。当該被電解水は、設定された一定量の電解質を含有していて、設定された一定の電気伝導度を有している。
【００２３】
制御装置３０は、当該電解水生成装置の電解運転を総合的に制御するもので、電解運転時には、電解槽１０内の電極１３ａ，１３ｂ間に一定の電圧を印加して、設定された電解電流の下で被電解水を電解する。電解運転中は、電流計３３で検出される電解電流値に基づいて、原水に対する高濃度塩水の供給流量を調整（供給ポンプのストローク数を制御）して、電解電流値をフィードバック制御する。
【００２４】
これにより、当該電解水生成装置では、設定された電解電流の下での電解により、設定された特性の電解生成酸性水および電解生成アルカリ性水が連続して生成されて、生成された電解生成酸性水は、電解生成酸性水専用の導出管路である下流側導出管路１５ａ2から導出され、また、生成された電解生成アルカリ性水は、電解生成アルカリ性水専用の導出管路である下流側導出管路１５ｂ2から導出される。
【００２５】
このように、当該電解水生成装置においては、電解運転中の電解槽１０内の電解電流値を常に設定された電解電流値になるように、原水に対する高濃度塩水の供給流量を制御している。このため、従来の電解水生成装置では、電解運転を一旦停止した後に電解運転を再開する場合、制御装置３０に前回の電解運転での原水に対する高濃度塩水の供給流量を記憶させておき、制御装置３０は、電解運転の再開時の始めから、自身が記憶している供給流量になるように、原水に対する高濃度塩水の供給流量を制御する手段を採っている。
【００２６】
このため、前回の電解運転終了後に、被電解水調製機構の塩水タンク２１内で新たに塩類を添加して高濃度塩水を調製するような場合、前回の電解運転における高濃度塩水の供給流量に基づき、原水に対する高濃度塩水の供給流量を制御すると、塩濃度の相違に起因して、高濃度塩水の供給流量が過剰になることがある。原水に対する高濃度塩水の供給流量が過剰になると、電解槽１０内の電解電流値が設定された電解電流値より上昇する現象が発生する。また、電解運転の途中で、塩水タンク２１内に新たに塩類を添加して高濃度塩水を調製して塩水の塩濃度が高くなった場合には、電解槽１０内の電解電流値は設定された電解電流値より急激に上昇する現象が発生する。
【００２７】
これらの場合、電解槽１０の各電極１３ａ，１３ｂに電流を印加する電源３１の電源容量が大きい場合には、さほど問題はないとしても、電源容量に余裕がない場合には、電源容量を超える過電流が流れることがある。過電流の発生は、電源３１に対して大きな負荷を与えることになることから、過電流の発生は避けなければならない。
【００２８】
また、過電流が発生すると、電源３１は電圧降下させて自身を保護する。この場合、フィードバック制御では電圧降下分を検知していないことから、制御装置３０は、電圧降下によって減った電流を補うべく、原水に対する高濃度塩水の供給流量を制御する。このため、電解運転を、設定された電解電流値の下での正常な電解運転に復帰させるために長時間を要することになる。本発明は、かかる問題に対処するものである。
【００２９】
本発明に係る電解水生成装置においては、電解電流値が許容される微少な変動範囲にある場合には、制御装置３０は、電流計３３にて検出される電解電流値に基づいて高濃度塩水の原水に対する供給流量を制御すべく供給ポンプ２３の駆動を制御し、電流計３３にて検出される電解電流値が許容される微少な変動範囲を越える過電流値である場合には、供給ポンプ２３の駆動を一旦停止し原水に対する高濃度塩水の供給を中断し、その後、供給ポンプ２３の駆動を再駆動して原水に対する高濃度塩水の供給を再開する。供給ポンプ２３の駆動を再駆動するに当たっては、供給ポンプの駆動が調整できるストローク数の範囲内の最低のストローク数から漸次増大させる制御を行う。この結果、原水に対する高濃度塩水の供給流量は漸次増大することになる。
【００３０】
図２（ａ）には、供給ポンプ２３の駆動時の単位時間当たりのストローク数と高濃度塩水の吐出流量（供給流量）の関係を示し、図２（ｂ）には、ストローク数（高濃度塩水の原水に対する供給流量に対応）と電解電流値との関係を示している。また、図３（ａ），（ｂ）には、従来の電解水生成装置の電解再開時の初期における高濃度塩水の供給流量と、電圧と、電解電流との関係を示している。
【００３１】
なお、図２（ａ）に示す供給ポンプ２３のストローク数は上下２段に表示しているが、上段に示すストローク数（％）は、当該供給ポンプ２３は０〜７２０（ｓｐｍ）間で調整することができることから、当該ストローク数に調整範囲を１００等分して、ストローク数７２０ｓｐｍを最大の調整数を１００％としたものである。また、下段に示すストーロク数（ｓｐｍ）は、上段のストローク数（％）に対応するストローク数である。また、図２（ｂ）に示すグラフは、ストローク数（ｓｐｍ）が０でも、２Ａ程度の電解電流が流れている現象を示しているが、この現象は、高濃度塩水を調製するために採用している原水（水道水）に含まれている電解質に起因しているものである。
【００３２】
従来の電解水生成装置の電解運転の再開時には、原水に対する高濃度塩水の供給流量の制御は、前回の高濃度塩水の供給流量に基づいて行われる。図３（ａ）は、電解電圧１２Ｖ、電解電流１０Ａに設定されている電解条件の下で電解運転する場合であって、電源３１として電源容量が大きい電源を採用している電解運転の例である。当該電解運転の再開の際には電解槽１０内は原水で充満しているため、電解運転の開始から所定の時間の間は、電解槽１０内に充満している水、および、順次塩濃度を増す被電解水の希釈水溶液がフィードバック制御の基準となる。このため、電解運転の再開時には、制御装置３０は、フィードバック制御の関係から、電解運転の開始から所定時間の間は、高濃度塩水の供給流量を増加して、電解槽１０内を設定された塩濃度の被電解水で充満させる制御を行う。
【００３３】
かかる制御では、原水に対する高濃度塩水の供給と、電解槽１０内が設定された塩濃度の被電解水で充満する時間に時間差があることから、原水に対する高濃度塩水の供給流量が一時的に過剰となって、電解槽内では過電流が発生することになる。図３（ａ）には、この場合の高濃度塩水の供給流量、電圧および電解電流の挙動を示している。また、この場合には、電源３１の電源容量に余裕があることから電圧降下は存在せず、過電流は発生するものの、電圧降下に起因する問題は発生しない。
【００３４】
図３（ｂ）も、電解電圧１２Ｖ、電解電流１０Ａに設定されている電解条件の下で電解運転する場合であるが、電源３１として電源容量が小さい電源を採用している電解運転の例である。当該電解運転の再開の際には電解槽１０内は原水で充満しているため、電解運転の開始から所定の時間の間は、電解槽１０内に充満している水、および、順次塩濃度を増す被電解水の希釈水溶液がフィードバック制御の基準となる。このため、電解運転の再開では、制御装置３０は、フィードバック制御の関係から、電解運転の開始から所定時間の間は、高濃度塩水の供給流量を増加して、電解槽１０内を設定された塩濃度の被電解水で充満させる制御を行う。
【００３５】
かかる制御では、原水に対する高濃度塩水の供給と、電解槽１０内が設定された塩濃度の被電解水で充満する時間に時間差があることから、原水に対する高濃度塩水の供給流量が一時的に過剰となって、電解槽１０内では過電流が発生することになる。この場合は、過電流に起因して電圧降下が発生し、過電流に基づくフィードバック制御では、高濃度塩水の供給流量の減少による電解電流値の低下は十分ではなく、設定された電解電流値に制御するにはフィードバック制御を繰り返し行わなければならず、設定された電解電流値に制御するには、かなりの時間を要することになる。また、この場合には、過電流に起因する電源３１に対する負荷は一層大きくなる。
【００３６】
本発明は、これらの問題に対処することを目的としているもので、本発明においては、電流値検出手段にて検出される電解電流値が許容される微少な変動範囲を越える過電流値である場合には、高濃度塩水の原水に対する供給を一旦停止し、その後、高濃度塩水の供給流量を、調整可能な供給流量の範囲内の最低の供給流量から漸次増大させる制御を行うものである。
【００３７】
本発明で規定する制御の一実施態様では、電解再開時の開始から所定時間の間、通常のフィードバック制御とは異なり、原水に対する高濃度塩水の供給流量を適正に制御することにより、電解運転再開時の初期における電解槽内での過電流の発生を大幅に抑制し、または、皆無に近い状態にして、電解運転中の過電流の発生に起因する問題を解消するものである。図４には、当該電解運転における高濃度塩水の供給流量と、電圧と、電解電流との関係を示している。当該電解運転は、電解電圧１２Ｖ、電解電流１０Ａに設定されている電解条件の下で電解運転する場合である。
【００３８】
当該電解運転の再開の際には電解槽１０内は原水で充満しているため、電解運転の開始から所定の時間の間は、電解槽１０内に充満している水、および、順次塩濃度を増す被電解水の希釈水溶液がフィードバック制御の基準となる。このため、電解運転の再開では、制御装置３０は、フィードバック制御の関係から、電解運転の開始から所定時間の間は、高濃度塩水の供給流量を増加して、電解槽１０内を設定された塩濃度の被電解水で充満させる制御を行う。
【００３９】
本発明に係る電解水生成装置においては、制御装置３０は、前回の電解運転における原水に対する高濃度塩水の供給流量を記憶値として記憶していて、電解運転の再開時には当該記憶値に基づいてフィードバック制御するが、当該制御の間に電解槽１０内に過電流が発生した場合には、高濃度塩水の原水に対する供給を一旦停止し、その後、高濃度塩水の供給流量を、調整可能な供給流量の範囲内の最低の供給流量から漸次増大させる制御を行っている。このため、当該制御においては、電解槽１０内で一旦発生した過電流を速やかに解消されるとともに、その後の制御では、電解槽１０内での過電流の発生を阻止しつつ、電解槽１０内の電解電流値を目標とする設定された電解電流値に速やかに移行させることができる。
【００４０】
また、本発明で規定する制御においては、電解槽１０内で発生する過電流を速やかに解消されることから、過電流に起因する電源に対する大きな負荷は瞬時に解消される。また、制御装置は、電圧降下によって減った電流を補うべく、原水に対する高濃度塩水の供給流量を制御することもなく、このため、電解運転を、設定された電解電流値の下での正常な電解運転に、速やかに復帰させることができる。
【図面の簡単な説明】
【００４１】
【図１】本発明の一実施形態である電解水生成装置を示す概略構成図である。
【図２】供給ポンプの駆動時の単位時間当たりのストローク数と高濃度塩水の供給流量（吐出流量）の関係を示するグラフ（ａ）、および、ストローク数（高濃度塩水の原水に対する供給流量に対応）と電解電流値との関係を示するグラフ（ｂ）である。
【図３】従来の電解水生成装置の電解再開時の初期における高濃度塩水の供給流量と、電圧と、電解電流との関係を示す電源容量が大きい場合のグラフ（ａ）、および、電源容量が小さい場合のグラフ（ｂ）である。
【図４】本発明に係る電解水生成装置の電解再開時の初期における高濃度塩水の供給流量と、電圧と、電解電流との関係を示すグラフである。
【符号の説明】
【００４２】
１０…有隔膜式の電解槽、Ｒ1，Ｒ2…電解室、１１…槽本体、１２…隔膜、１３ａ，１３ｂ…電極、１４…被電解水供給管路、１５ａ1，１５ｂ1…上流側導出管路、１５ａ2，１５ｂ2…下流側導出管路、１６…流路切換弁、１７…原水供給管路、１８ａ…軟水器、１８ｂ…フィルター、２０…被電解水調製機構、２１…塩水タンク、２２…高濃度塩水供給管路、２３…供給ポンプ、３０…制御装置、３１…電源、３２…分流器、３３…電流計（電解電流検出手段）。
【図１】
0004809950.tif 000002
【図２】
0004809950.tif 000003
【図３】
0004809950.tif 000004
【図４】
0004809950.tif 000005